(57)【特許請求の範囲】
【請求項１】
各々胴筒(1A)、(1B)の上端部(4A)、(4B)に肩部(2A)、(2B)を連設し、該肩部(2A)、(2B)に起立設した注出筒に有頂筒状のキャップ(3A)、(3B)を取付けた有底筒状の第一容器(A)および第二容器(B)と、前記両キャップ(3A)、(3B)が挿通する開口部を開設し、前記両上端部(4A)、(4B)に着脱可能に組付いて、前記第一容器(A)と第二容器(B)とを隣接結合するカバー体(6)と、前記両胴筒(1A)、(1B)の下端部(5A)、(5B)に、前記第一容器(A)と第二容器(B)の分離を容易にして組付き、該第一容器(A)と第二容器(B)とを隣接結合するハカマ体(7)と、から構成した合体容器。
【請求項２】
各胴筒(1A)、(1B)の下端部(5A)、(5B)が個別に、容易に抜け出し可能に嵌入組付きする第一室(27A)と第二室(27B)とを、隣接形成してハカマ体(7)を構成した請求項１記載の合体容器。
【請求項３】
各胴筒(1A)、(1B)の下端部(5A)、(5B)に個別に組付く、第一ハカマ片(7A)と第二ハカマ片(7B)とを、上下方向に着脱自在に隣接結合してハカマ体(7)を構成した請求項１記載の合体容器。
【請求項４】
各胴筒(1A)、(1B)の側面の一部分同士を面接触可能な接触面(12A)、(12B)に形成し、第一容器(A)と第二容器(B)とを、前記両接触面(12A)、(12B)で接触させて隣接させた請求項１または２記載の合体容器。
【請求項５】
各胴筒(1A)、(1B)の側面の一部分同士を面接触可能な接触面(12A)、(12B)に形成し、該両接触面(12A)、(12B)の一方の下部に凹部(13)を凹設し、該凹部(13)を凹設した一方の胴筒(1B)に組付く第二ハカマ片(7B)に、前記凹部(13)と連通する連結凹部(20)を設け、他方の胴筒(1A)に組付く第一ハカマ片(7A)に、前記凹部(13)内に侵入して、前記連結凹部(20)に上下方向に着脱自在に係合する連結突片(19)を突設し、第一容器(A)と第二容器(B)とを、前記両接触面(12A)、(12B)で接触させて隣接させた請求項３記載の合体容器。
【請求項６】
カバー体(6)の平面形状を、第一容器(A)と第二容器(B)とが隣接した状態での両上端部(4A)、(4B)が形成する外郭と同一形状とし、ハカマ体(7)の平面形状を、前記第一容器(A)と第二容器(B)とが隣接した状態での両下端部(5A)、(5B)が形成する外郭と同一形状とした請求項１、２、３、４または５記載の合体容器。
【請求項７】
開口部を形成するカバー体(6)の内周縁に、両キャップ(3A)、(3B)の少なくとも一つに被嵌する計量カップ(9)を一体設した請求項１、２、３、４、５または６記載の合成樹脂製の合体容器。
【発明の詳細な説明】
【０００１】
【発明の属する技術分野】
本発明は、異なる種類の内溶液を収容した二つの容器を合体させた容器に関するものである。
【０００２】
【従来の技術】
シャンプーとリンス、あるいは液体洗剤と液体漂白剤、さらには選択した入浴剤のように、二種の内溶液を収容した二つの容器は、常時隣接して配置されていると、各容器を個別に取出す等の手間が省けたり、両容器を円滑に取扱い易くすることができる。そして、この要望を満たすために、二種の内溶液を収容した二つの容器を接着等の手段で一体に固着した合体容器が提案されている。
【０００３】
【発明が解決しようとする課題】
しかし、上記の合体容器にあっては二つの容器が一体に固着されているので、一方の内溶液を使用する場合に、使用しない他方の内容液を収容した容器も同時に取扱わなければならず使い勝手が悪い、という問題がある。
【０００４】
また、一方の内溶液を他方よりも早く使い切った場合には、使い切った内溶液を収容した容器を新たに用意して、この新しい容器と、他方の内溶液が残っている以前からの容器との二つを取扱う不便が生じる、という問題がある。
【０００５】
そこで、本発明は上記した問題を解決するために創案されたもので、二つの容器を備え、非使用時には両容器を一体に取扱うことができ、使用時には各容器を個別に取扱うことができる、使い勝手の良い合成樹脂製の合体容器を提供することを目的とする。
【０００６】
【課題を解決するための手段】
上記課題を解決する本発明の内、請求項１記載の発明の手段は、
各々胴筒の上端部に肩部を連設し、この肩部に起立設した注出筒に有頂筒状のキャップを取付けた有底筒状の第一容器および第二容器を有すること、
両キャップが挿通する開口部を開設し、両胴筒の上端部に着脱可能に組付いて、第一容器と第二容器とを隣接結合するカバー体を有すること、
両胴筒の下端部に、第一容器と第二容器の分離を容易にして組付き、この第一容器と第二容器とを隣接結合するハカマ体を有すること、
にある。
【０００７】
請求項１記載の発明にあっては、第一容器と第二容器とが、両容器の胴筒の上端部および下端部において、各々カバー体とハカマ体とにより隣接結合されるので、両容器を安定的に一体化することができ、両容器を個別に持ち運ぶ手間が省け、また両容器を円滑に使い分けして取扱い易くなるので利便性が向上する。
【０００８】
内容液の使用に際して、カバー体を上端部から取外し、一方の容器を、引き倒し状に傾けるか、引上げるかして他方の容器から分離させ、この一方の容器を単独に取扱い、使用後は、分離した一方の容器を他方の容器と隣接結合させ、次いでカバー体を上端部に組付けることにより、両容器を一体化する。
【０００９】
また、上記の通り各容器は個別に着脱できるので、例えば第一容器の内溶液を第二容器の内溶液よりも早く使い切った場合には、第一容器だけを交換することにより、合体容器に二種類の内溶液を常備して使用に供することができる。
【００１０】
請求項２記載の発明は、請求項１記載の発明の構成に、各胴筒の下端部が個別に、容易に抜け出し可能に嵌入組付きする第一室と第二室とを、隣接形成してハカマ体を構成したこと、を加えたものである。
【００１１】
この請求項２記載の発明にあっては、ハカマ体の構造をきわめて簡単なものとすることができ、また分離して残って安置された容器の座りを、安定した状態に維持する。
【００１２】
請求項３記載の発明の手段は、請求項１記載の発明の構成に、各胴筒の下端部に個別に組付く、第一ハカマ片と第二ハカマ片とを、上下方向に着脱自在に隣接結合してハカマ体を構成したこと、を加えたものである。
【００１３】
この請求項３記載の発明にあっては、カバー体を取外した状態で、両容器を上下方向に相対移動して第一ハカマ片と第二ハカマ片との結合を外すと、両容器は下端部に各々第一ハカマ片と第二ハカマ片とを組付けた軽装備の状態で分離して、使用に適した状態となる。
【００１４】
また、カバー体を組付けた状態では、このカバー体により両容器は上下方向の相対移動を拘束されるので、安定した結合状態が維持される。
【００１５】
請求項４記載の発明は、請求項１または２記載の発明の構成に、各胴筒の側面の一部同士を面接触可能な接触面に形成し、第一容器と第二容器とを両接触面で接触させて隣接させたこと、を加えたものである。
【００１６】
この請求項４記載の発明にあっては、両容器が面接触して隣接するので、合体容器の占有体積を小さくすることが可能となり、店頭では陳列棚等に効率的に多数陳列することができ、各家庭では収納棚等にコンパクトに収納することができる。
【００１７】
請求項５記載の発明は、請求項３記載の発明の構成に、各胴筒の側面の一部分同士を面接触可能な接触面に形成し、この両接触面の一方の下部に凹部を凹設し、この凹部を凹設した一方の胴筒に組付く第二ハカマ片に、凹部と連通する連結凹部を設け、他方の胴筒に組付く第一ハカマ片に、凹部内に侵入して、連結凹部に上下方向に着脱自在に係合する連結突片を突設し、第一容器と第二容器とを、両接触面で接触させて隣接させたこと、を加えたものである。
【００１８】
この請求項５記載の発明にあっては、第一ハカマ片に突設した連結突片と、第二ハカマ片に凹設した連結凹部とから成る構成により、両容器の分離を簡単に達成することを可能とし、また第二容器の胴筒の接触面下部に、連結突片が侵入可能な凹部を設けることにより、連結突片に邪魔されることなく、両容器を面接触させて隣接することができる。
【００１９】
請求項６記載の発明は、請求項１、２、３、４または５記載の発明の構成に、カバー体の平面形状を、第一容器と第二容器とが隣接した状態での両上端部が形成する外郭と同一形状とし、ハカマ体の平面形状を、第一容器と第二容器とが隣接した状態での両下端部が形成する外郭と同一形状としたこと、を加えたものである。
【００２０】
この請求項６記載の発明にあっては、合体容器の外観が、胴筒の上端部と下端部とを、各々カバー体とハカマ体とにより縁取られながらコンパクトに隣接配置されたシンプルですっきりしたものとなり、見る者に機能的な美しさを感じさせることが期待できる。
【００２１】
請求項７記載の発明は、請求項１、２、３、４、５または６記載の発明の構成に、開口部を形成するカバー体の内周縁に、両キャップの少なくとも一つに被嵌する計量カップを一体設したこと、を加えたものである。
【００２２】
この請求項７記載の発明にあっては、内容液を計量して使用したい場合に、別途計量用の道具を用意することなく、取外したカバー体に一体設した計量カップを用いて簡単にかつ迅速に計量を行うことができる。
【００２３】
【発明の実施の形態】
以下に、本発明の合体容器の実施形態を、図面を参照しながら説明する。
図１は、本発明の第一実施形態を示す分解斜視図であり、合体容器は、前後に整列した第一容器Aおよび第二容器Bと、図中上方に位置するカバー体６と、図中下方に位置するハカマ体７とから構成されている。
【００２４】
図中前方に位置する第一容器Aは、後側の側面が直立平面状の接触面１２Aに形成された胴筒１Aの上端部４Aに肩部２Aを連設し、この肩部２Aに起立設した注出筒に有頂筒状のキャップ３Aを取付け、上端部４Aの前側に上部係止突片２２Aを突設し、胴筒１Aの下端部５Aの外周に下部係止突条１１Aを突周設した有底筒形状をしている。
【００２５】
図中後方に位置する第二容器Bは、第一容器Aを前後反対にした同一の形状を有しており、前側の側面が直立平面状の接触面１２Bに形成された胴筒１Bの上端部４Bに肩部２Bを連設し、肩部２Bに起立設した注出筒に有頂筒状のキャップ３Bを取付け、上端部４Bの後側に上部係止突片２２Bを突設し、胴筒１Bの下端部５Bの外周に下部係止突条１１Bを突周設した有底筒形状をしている。
【００２６】
カバー体６は、接触面１２Aと接触面１２Bとを面接触させて、第一容器Aと第二容器Bとが隣接した状態における、上端部４Aと上端部４Bとが形成する外郭と同一形状をした板状体に、前記キャップ３Aが挿通する開口部８Aと、キャップ３Bが挿通する開口部８Bとを開設した頂板１４と、開口部８Bを形成する頂板１４の内周縁に一体設した計量カップ９とから構成されている。
【００２７】
また、カバー体６は、頂板１４の前側に前記上部係止突片２２Aと着脱可能に係合する第一係止突片２３Aを突設し、頂板１４の後側に前記上部係止突片２２Bと着脱可能に係合する第一係止突片２３Bを突設している。
【００２８】
なお、図示のように計量カップ９に適切な使用量を表示する目盛を付しておくと、内容液の使用に際し、この目盛と一致するように計量カップ９に内溶液を注出することにより、簡単かつ迅速に適切な使用量を計量することができる。
【００２９】
ハカマ体７は、接触面１２Aと接触面１２Bとを面接触させて、第一容器Aと第二容器Bとが隣接した状態における、下端部５Aと下端部５Bとが形成する外郭と同一形状をした底板２４と、この底板２４の周縁から起立設する周壁２５と、底板２４の中央から起立設して、ハカマ体７の内側を前側の第一室２７Aと後側の第二室２７Bとに二分する隔壁２６とから構成されている。
【００３０】
また、ハカマ体７は、第一室２７Aを取囲む周壁２５の内周面と隔壁２６の前面とに、下部係止突条１１Aと着脱可能に係合する第二係止突条１８Aを突周設し、第二室２７Bを取囲む周壁２５の内周面と隔壁２６の後面とに、下部係止突条１１Bと着脱可能に係合する第二係止突条１８Bを突周設している。
【００３１】
第二係止突条１８Aおよび第二係止突条１８Bの下部係止突条１１Aおよび下部係止突条１１Bに対する係合は、容器Ａ、Ｂのハカマ体７からの分離が容易に達成できる程度の弱いものに設定されているが、隔壁２６に第二係止突条１８Aおよび第二係止突条１８Bを設けないことにより、両容器Ａ、Ｂの一方を他方に対して離れる方向に、引き倒し状に傾けることにより、この一方を容易にハカマ体７から分離させることができる。
【００３２】
この合体容器の組立ては、下端部５A、下端部５Bを各々第一室２７A、第二室２７Bに嵌入組付けした後、カバー体６を上端部４Aと上端部４Bとに組付けることにより達成される。
【００３３】
図２は、本発明の第二実施形態を示す分解斜視図であり、合体容器は、前後に整列した第一容器Aおよび第二容器Bと、図中上方に位置するカバー体６と、図中下方に位置するハカマ片７Aおよびハカマ片７Bとの組合せ物であるハカマ体７とから構成されている。
【００３４】
図中前方に位置する第一容器Aは、胴筒１Aの上端部４Aに肩部２Aを連設し、この肩部２Aに起立設した注出筒に有頂筒状のキャップ３Aを取付け、胴筒１Ａの上端部４Aの外周に上部係止突条１０Aを突周設し、胴筒１Aの下端部５Aの外周に下部係止突条１１Aを突周設した有底円筒形状をしている。
【００３５】
図中後方に位置する第二容器Bは、第一容器Aと同一の構成を有し、胴筒１Bの上端部４Bに肩部２Bを連設し、この肩部２Bに起立設した注出筒に有頂筒状のキャップ３Bを取付け、胴筒１Ｂの上端部４Bの外周に上部係止突条１０Bを突周設し、胴筒１Bの下端部５Bの外周に下部係止突条１１Bを突周設した有底筒形状をしている。
【００３６】
また、第二容器Bは、胴筒１Bの前側を、胴筒１Aの後側側面と同一曲率半径で円弧状に窪ませ、胴筒１Aの後側側面と面接触可能な接触面１２Bに形成し、この接触面１２Bの下部に凹部１３を凹設している。
【００３７】
カバー体６は、胴筒１Aの後側側面と接触面１２Bとを面接触させて、第一容器Aと第二容器Bとが隣接した状態における、上端部４Aと上端部４Bとが形成する外郭と同一形状をした板状体に、キャップ３Aが挿通する開口部８Aと、キャップ３Bが挿通する開口部８Bとを開設した頂板１４と、この頂板１４の外周縁に垂下した周壁１５と、開口部８Bを形成する頂板１４の内周縁に一体設した計量カップ９とから構成されている。
【００３８】
また、カバー体６は、周壁１５の内周面に上部係止突条１０Aと、上部係止突条１０Bとに着脱可能に係合する第一係止突条１７を突周設し、周壁１５の前端に操作用の摘み片１６を突設している。
【００３９】
ハカマ片７Aは、下端部５Aの外郭と同一形状をした底板２４Aと、この底板２４Aの周縁から起立設する周壁２５Aとから構成され、周壁２５Aの内周面に下部係止突条１１Aと係合する第二係止突条１８Aを突周設し、周壁２５Aの後側上端に、凹部１３内に侵入可能な断面Ｌ字状の連結突片１９を突設している。
【００４０】
ハカマ片７Bは、下端部５Bの外郭と同一形状をした底板２４Bと、この底板２４Bの周縁から起立設する周壁２５Bとから構成され、周壁２５Bの内周面に下部係止突条１１Bと係合する第二係止突条１８Bを突周設し、周壁２５Bの前側内周面、すなわち凹部１３対向する箇所に、この凹部１３と連続するように、連結突片１９が着脱自在に係合する連結凹部２０を設けている。
【００４１】
合体容器の組立ては、下端部５A、下端部５Bに各々ハカマ片７A、７Bを組付けた後、連結突片１９を凹部１３内に侵入させて胴筒１Aと胴筒１Bとを面接触させ、引続き、第二容器Bに対して第一容器Aを下降移動して、連結突片１９と連結凹部２０とを係合してハカマ片７Aとハカマ片７Bとを結合してハカマ体７を組立て、最後に、カバー体６を上端部４Aと上端部４Bとに組付けることにより達成される。図３に組立て完了後の斜視図を示す。
【００４２】
本発明の材料は安価で、成形性に優れたものが好ましく、かかる材料としてポリエチレンやポリプロピレンが適当である。また、上記二つの実施形態において、カバー体６に計量カップ９を一体設したが、計量カップ９は収容する内容液の種類に応じて適宜に採用するのが良い。
【００４３】
【発明の効果】
本発明は、上記のように構成したので以下に示す効果を奏する。
請求項１記載の発明においては、非使用時にはカバー体とハカマ体とを装着しすることにより、二つの容器を一体化して取扱うことができ、容器の使用時には、カバー体を取外した状態で、各容器を個別に取扱うことができるので、他方の容器が取扱いの邪魔となることがなく、使用上極めて便利である。
【００４４】
また、一方の内溶液を他方よりも早く使い切った場合には、一方の容器だけを交換することにより、合体容器に二種類の内溶液を常備して使用に供することができる。
【００４５】
さらに、入浴剤のように種類が多いものにあっては、選んだお気に入りの二種を一体的に分離収納保持し、使用時に単独または混合させて、好みに応じて使用することができる。
【００４６】
請求項２記載の発明おいては、ハカマ体の構造をきわめて簡単なものとすることができると共に、分離して残って安置された容器の座りが、安定した状態に維持されるので、容器の使用を安定的に達成することができる。
【００４７】
請求項３記載の発明においては、カバー体を取外した後、両容器を上下方向に相対移動して第一ハカマ片と第二ハカマ片との結合を外すことにより、両容器共に使用に適した態勢に分離することができ、これにより容器の良好な使用状態を得ることができる。
【００４８】
請求項４記載の発明においては、両容器が面接触して隣接するので、合体容器の占有体積を小さくすることが可能となり、陳列・収納スペースを節約することができ、効率の良い取扱いを得ることができる。
【００４９】
請求項５記載の発明においては、ハカマ体に上下方向に着脱自在な結合構造を付与すると共に、両容器を面接触させて隣接することが可能となり、分離性に優れ、省スペースの合体容器を得ることができる。
【００５０】
請求項６記載の発明においては、合体容器の外観がシンプルですっきりしたものとなり、二つの容器の組合せにより、一つの容器状の外観を現出し、見る者に機能的な美しさを感じさせて、購買意欲を喚起したり、使用時に心地良さを与えること等が期待できる。
【００５１】
請求項７記載の発明においては、カバー体に一体設した計量カップにより、内容液の計量を簡単・迅速に行うことができる。
【図面の簡単な説明】
【図１】本発明の第一実施形態を示す、分解全体斜視図。
【図２】本発明の第二実施形態を示す、分解全体斜視図。
【図３】図２に示した第二実施形態の、組立て完了後の全体斜視図。
【符号の説明】
A    ；  第一容器
B    ；  第二容器
１A  ；  胴筒
１B  ；  胴筒
２A  ；  肩部
２B  ；  肩部
３A  ；  キャップ
３B  ；  キャップ
４A  ；  上端部
４B  ；  上端部
５A  ；  下端部
５B  ；  下端部
６    ；  カバー体
７    ；  ハカマ体
７A  ；  ハカマ片
７B  ；  ハカマ片
８A  ；  開口部
８B  ；  開口部
９    ；  計量カップ
１０A；  上部係止突条
１０B；  上部係止突条
１１A；  下部係止突条
１１B；  下部係止突条
１２A；  接触面
１２B；  接触面
１３  ；  凹部
１４  ；  頂板
１５  ；  周壁
１６  ；  摘み片
１７  ；  第一係止突条
１８A；  第二係止突条
１８B；  第二係止突条
１９  ；  連結突片
２０  ；  連結凹部
２２A；  上部係止突片
２２B；  上部係止突片
２３A；  第一係止突片
２３B；  第一係止突片
２４  ；  底板
２４A；  底板
２４B；  底板
２５  ；  周壁
２５A；  周壁
２５B；  周壁
２６  ；  隔壁
２７A；  第一室
２７B；  第二室
【図１】
0004061400.tif 000002
【図２】
0004061400.tif 000003
【図３】
0004061400.tif 000004